(57)【要約】【課題】使用者に最も便利な使用方式と安全性を提供する。【解決手段】架本体と支柱ベースと加熱源とを有し、架本体は、通し孔を形成された棒状の支柱ロッドを具え、支柱ロッドの下端に下方に向かって拡開するように四本の接合ロッドの一方の端部をそれぞれ設置し、四本の接合ロッドの他方の端部のそれぞれに網目状の物置き網架を結合してなり、支柱ベースは細長い形のロッドであり、ロッドの先端は上方へ直角に曲がって支柱ロッドを形成しており、支柱ロッドの適所に溝形凹部が設置されてなり、加熱源は、木炭を盛るためのコンロやガスストーブたる炊事装置により構成され、支柱ベースの支柱ロッドを架本体の通し孔に挿し込み、通し孔を支柱ロッドの溝形凹部内に位置させて、通し孔と溝形凹部とにより架本体の支え点を形成し、物置き網架を具えた架本体を支柱ベースに揺動自在に支持させ、加熱源を架本体の下方に置いた。【選択図】        図１
0003104206.tif 000002
【実用新案登録請求の範囲】
【請求項１】
架本体と支柱ベースと加熱源とを有し、
前記架本体は、通し孔を形成された棒状の支柱ロッドを具え、前記支柱ロッドの下端に下方に向かって拡開するように四本の接合ロッドの一方の端部をそれぞれ設置し、前記四本の接合ロッドの他方の端部のそれぞれに網目状の物置き網架を結合してなり、
前記支柱ベースは細長い形のロッドであり、前記ロッドの先端は上方へ直角に曲がって支柱ロッドを形成しており、前記支柱ロッドの適所に溝形凹部が設置されてなり、
前記加熱源は、木炭を盛るためのコンロやガスストーブたる炊事装置により構成され、
前記支柱ベースの前記支柱ロッドを前記架本体の前記通し孔に挿し込み、前記通し孔を前記支柱ロッドの前記溝形凹部内に位置させて、前記通し孔と前記溝形凹部とにより前記架本体の支え点を形成し、前記物置き網架を具えた前記架本体を前記支柱ベースに揺動自在に支持させ、前記加熱源を前記架本体の下方に置いた
こととを特徴とする揺れ動き式バーベキュー架構造。
【考案の詳細な説明】
【技術分野】
【０００１】
本考案は、一種の揺れ動き式バーベキュー架構造に関するもので、特に、炭火により肉などの食材をあぶって焼く揺れ動き式バーベキュー架構造に関する。
【背景技術】
【０００２】
現在、戸外レジャー活動が極めて重視されていると同時に、普通の休日においても、また、特別な休日においても、人々は時々バーベキューで時間を過ごしている。もちろん、休日だけではなく、同窓会や懇親会などの活動においても、時々バーベキューの方式が行われている。
【０００３】
しかしながら、一般の市場で販売されている従来技術のバーベキュー架構造は、基本的に二種類となっている。すなわち、一切れ網式（独一網式）のバーベキュー架構造及びバーベキュー架構造がコンロと結合する方式のものである。前記の従来技術の中のいずれのものを使っても、食材をあぶって焼く場合に同じ欠点を持っている。それは、使用者が、食材を均一に焼くためや食材を焦げ付かせないために、食材を頻繁に上下にひっくり返したり、あるいは移動させたりしなければならないし、また、食材が煙にくすぶられて煙くさくなってしまい、バーベキューの楽しさを失わせてしまうものであった。
【０００４】
即ち、従来技術のバーベキュー架構造は、戸外レジャー活動の場で気楽に活用することができず、また、肉などの食材が焦げたり煙くさくなってしまうという問題点があった。
【０００５】
なお、本願出願人が実用新案登録出願時に知っている先行技術は、上記において説明したようなものであって文献公知に係る考案ではないため、記載すべき先行技術情報はない。
【考案の開示】
【考案が解決しようとする課題】
【０００６】
本考案は、従来の技術の有する上記したような種々の問題点に鑑みてなされたものであり、その目的とするところは、使用者に最も便利な使用方式と安全性を提供することが可能な揺れ動き式バーベキュー架構造を提供しようとするものである。
【０００７】
即ち、従来技術の改良ため、本考案者は、数年来レジャー用バーベキュー架制作に従事してきた経験ならびにその間の絶え間ない研究と構想を経て、遂に一種の揺れ動き式バーベキュー架構造を考案したものである。
【課題を解決するための手段】
【０００８】
上記目的を達成するために、本考案は、架本体と支柱ベースと加熱源とを有し、上記架本体は、通し孔を形成された棒状の支柱ロッドを具え、上記支柱ロッドの下端に下方に向かって拡開するように四本の接合ロッドの一方の端部をそれぞれ設置し、上記四本の接合ロッドの他方の端部のそれぞれに網目状の物置き網架を結合してなり、上記支柱ベースは細長い形のロッドであり、上記ロッドの先端は上方へ直角に曲がって支柱ロッドを形成しており、上記支柱ロッドの適所に溝形凹部が設置されてなり、上記加熱源は、木炭を盛るためのコンロやガスストーブたる炊事装置により構成され、上記支柱ベースの上記支柱ロッドを上記架本体の上記通し孔に挿し込み、上記通し孔を上記支柱ロッドの上記溝形凹部内に位置させて、上記通し孔と上記溝形凹部とにより上記架本体の支え点を形成し、上記物置き網架を具えた上記架本体を上記支柱ベースに揺動自在に支持させ、上記加熱源を上記架本体の下方に置いたものである。
【０００９】
即ち、本考案によれば、バーベキュー架の本体の頂点に一つの通し孔が設置されており、本体の下方へ四本のロッドが伸長して設置され、さらに、そのロッドに網の目状の物置き網架が結合されている。それに、支柱ベースの溝形凹部を本体にある通し孔に通し、相互に嵌合して設置し、ここにおいて、通し孔と溝形凹部を本体の支え点にさせて、そうすると、物置き網架は全体のオモリと見なされて配設されることになり、振り子時計と同工異曲の揺れ原理を備える構造を提供する。一方、肉など食材をあぶって焼こうとする場合には、まず、バーベキュー架の本体が揺れるため、手で軽く本体を押し動かさせ、そして、本体の下方に設置されていたコンロがあぶって焼く熱気を十分に生かして、熱気の立ち上る原理により、本体を揺れ続けることを助けて、揺れも止まやすくないものであり、振り子時計という原理が活用でき、本体が揺れる時間が長くなっただけではなく、使用者にも優れた安全性と便利性を提供し、食材もコンロやガスストーブなどにより均一にあぶって焼ける構造が得られる。
【考案の効果】
【００１０】
本考案は、使用者に最も便利な使用方式と安全性を提供することができるという優れた効果を奏する。
【考案を実施するための最良の形態】
【００１１】
本考案の構造の特徴及び特長を明確に説明するために、添付の図面を参照しながら以下に詳細に説明する。
【００１２】
まず、図１は本考案に係る揺れ動き式バーベキュー架構造の立体分解図であり、図１に示される揺れ動き式バーベキュー架構造は、主に架本体（１）と支柱ベース（２）と加熱源（３）により構成され、その中、架本体（１）は正面、即ち、正視面において通し孔（１２）を形成されている棒状の支柱ロッド（１１）を具えている。この支柱ロッド（１１）の下端に、下方に向かって拡開するように四本の接合ロッド（１３）の一方の端部をそれぞれ設置し、四本の接合ロッド（１３）の他方の端部のそれぞれに網目状の物置き網架（１４）を結合し、支柱ロッド（１１）の底部に接合ロッド（１３）により網目状の物置き網架（１４）を配設する。
【００１３】
さて、支柱ベース（２）は細長い形のロッドであり、その先端は上方へ直角に曲がって、支柱ロッド（２１）を形成しており、支柱ロッド（２１）の適所に溝形凹部（２２）が設置されている。
【００１４】
また、加熱源（３）は、木炭を盛るためのコンロやガスストーブたる炊事装置により構成することができる。
【００１５】
本考案による揺れ動き式バーベキュー架構造の実際使用時においては、図２の本考案の立体外観図に示されるように、架本体（１）を支柱ベース（２）と加熱源（３）に組み付け結合する場合、まず、支柱ベース（２）の支柱ロッド（２１）を架本体（１）の通し孔（１２）に挿し込む。このとき、通し孔（１２）は支柱ロッド（２１）の溝形凹部（２２）内に位置して、通し孔（１２）と溝形凹部（２２）は架本体（１）の支え点を形成することになり、物置き網架（１４）を具えた架本体（１）が支柱ベース（２）に揺動自在に支持される。それから、加熱源（３）を架本体（１）の下方に置き、これで本考案の基本的な構造の組み合わせが完了される。
【００１６】
次に、図３及び図４を参照しながら説明する。使用の場合には、まず、焼きたい肉などの食材を物置き網架（１４）の上に置いて、架本体（１）を左右に軽く揺れ動かす。その揺れ動かしの際には、通し孔（１２）と溝形凹部（２２）が架本体（１）の支え点となって、物置き網架（１４）がオモリとして作用し、振り子時計のような原理で架本体（１）が揺れ続ける。そして、加熱源（３）は食材を焼いているが、その加熱源（３）からの熱気が立ち上る原理によって、架本体（１）は止まらずに揺れ続けられて、それで食材を均一にあぶって焼けくことができるとともに、焦げ付かせることもなく、半自動に揺れて省力化できる揺れ動き式バーベキュー架構造が提供されるものである。
【００１７】
さらに、図５及び図６と図７を参照する。本考案は異った構造によっても、たやすく前記の原理と効果に達する。
【００１８】
上述から、本考案は確かに従来技術を改良しており、使用者にも最も便利な使用方式と安全性を提供することができ、このため本考案の設計は優れた実用性及び進歩性を具えている。
【産業上の利用可能性】
【００１９】
本考案は、戸外レジャー活動や同窓会あるいは懇親会などの活動においてバーベキューを行う際に利用されるものである。
【図面の簡単な説明】
【００２０】
【図１】本考案に係るバーベキュー架構造の立体分解図である。
【図２】本考案に係るバーベキュー架構造の立体外観図である。
【図３】本考案に係るバーベキュー架構造を実施する際の説明図である。
【図４】本考案に係るバーベキュー架構造の一部の断面図である。
【図５】本考案に係るバーベキュー架構造を実施する際の概略説明図である。
【図６】本考案に係るバーベキュー架構造を実施する際の概略説明図である。
【図７】本考案に係るバーベキュー架構造を実施する際の概略説明図である。
【符号の説明】
【００２１】
１      架本体
１１      支柱ロッド
１２      通し孔
１３      接合ロッド
１４      物置き網架
２      支柱ベース
２１      支柱ロッド
２２      溝形凹部
３      加熱源
【図１】
0003104206.tif 000003
【図２】
0003104206.tif 000004
【図３】
0003104206.tif 000005
【図４】
0003104206.tif 000006
【図５】
0003104206.tif 000007
【図６】
0003104206.tif 000008
【図７】
0003104206.tif 000009